(57)【要約】      （修正有）【課題】複数の分割可動棚を一対の固定金具により収納棚本体に固定することで、分割可動棚の位置を調整して、収納する物品の大きさに合わせて収納空間を自由に調整することができる収納棚および収納システムを提供する。【解決手段】収納空間を形成する収納棚本体１１と、収納棚本体１１の両側面１１ａ、１１ａに固定する一対の固定金具１２と、収納棚本体１１の両側面１１ａ、１１ａを架設するように延び、収納部本体１１の奥行き方向において、複数枚に分割されるとともに、一対の固定金具１２を介して可動可能に固定される複数の分割可動棚１５ａからなる可動棚１５と、を備える収納棚２であって、分割可動棚１５ａは、固定金具１２の固定位置を調整することで、収納空間の高さ方向および奥行き方向へ調整可能に固定されていることを特徴とする収納棚２。【選択図】図１
0003198175.tif 000002
【実用新案登録請求の範囲】
【請求項１】
収納空間を形成する収納棚本体と、
前記収納棚本体の両側面に固定する一対の固定金具と、
前記収納棚本体の両側面を架設するように延び、前記収納部本体の奥行き方向において、複数枚に分割されるとともに、一対の前記固定金具を介して可動可能に固定される複数の分割可動棚からなる可動棚と、を備える収納棚であって、
前記分割可動棚は、前記収納棚本体に対する前記固定金具の固定位置を調整することで、前記収納空間の高さ方向および奥行き方向へ調整可能に固定されていることを特徴とする収納棚。
【請求項２】
前記収納棚本体の両側面には、可動棚の分割数に応じて形成された複数列の係止孔が、収納棚本体の高さ方向に複数段形成されており、
前記一対の固定金具は、前記収納棚本体の両側面に形成された一対の係止孔に係止することで、前記収納棚本体に対して前記分割可動棚を固定することを特徴とする請求項１に記載の収納棚。
【請求項３】
請求項１又は２に記載の複数の収納棚からなり、
前記複数の収納棚の少なくとも１つは、前記収納棚本体の幅および奥行きを２つ折りにした布団が収納可能な大きさで形成されていることを特徴とする収納システム。
【考案の詳細な説明】
【技術分野】
【０００１】
本考案は、収納する物品に合わせて収納空間を調節することができる収納棚および収納システムに関する。
【背景技術】
【０００２】
一般的に建物に設けられた押入れやクローゼットなどの収納棚は、収納空間を形成する収納棚本体と、収納空間の幅方向に延び、日用品や衣類などの物品（以下、物品と言う）を載置し、高さ方向に複数段設けられた棚板とを備える。収納棚は、複数段の棚板に各種物品を載置することで、収納空間内に多くの物品を収納できるように形成されている。近年、物品の形状に合わせて、収納棚の収納空間を調節することができる収納構造が鋭意研究されている。
【０００３】
例えば、特許文献１（従来例）には、図９に示すように、棚板１４０を収納棚１００の奥行き方向に略等分割した複数の分割棚板１４１aにより構成することで、奥側の分割棚板１４１aを外して、スキーやスノーボード板、または、ゴルフのクラブなどの長尺な物品を簡単に収納することができる収納棚１００が開示されている。
【先行技術文献】
【特許文献】
【０００４】
【特許文献１】特開２０１０−７０９５４号公報
【考案の概要】
【考案が解決しようとする課題】
【０００５】
しかし、特許文献１に開示された収納棚１００は、図９に示すように、収納棚１００の両側面に予め設けられた凹溝１３０に分割棚板１４１aの両側部をスライドさせて係止させるため、収納棚１００の高さ方向において、分割棚板１４１aを任意の位置に固定することができない問題があった。また、奥側の分割棚板１４１aを取り外す際に、手前側の分割棚板１４１aも取り外す必要があり、分割棚板１４１aの設定が煩わしくなる問題もあった。
【０００６】
本考案は、上述した事情に鑑みてなされるものであって、可動棚を構成する複数の分割可動棚を一対の固定金具により収納棚本体に固定することで、一対の固定金具の固定位置を調整して、可動棚の位置も調整することができるため、収納する物品の大きさに合わせて収納空間を自由に調整することができる収納棚および収納システムを提供することを目的とする。
【課題を解決するための手段】
【０００７】
上記課題を解決するためになされた請求項１に記載の考案は、収納空間を形成する収納棚本体と、前記収納棚本体の両側面に固定する一対の固定金具と、前記収納棚本体の両側面を架設するように延び、前記収納部本体の奥行き方向において、複数枚に分割されるとともに、一対の前記固定金具を介して可動可能に固定される複数の分割可動棚からなる可動棚と、を備える収納棚であって、前記分割可動棚は、前記収納棚本体に対する前記固定金具の固定位置を調整することで、前記収納空間の高さ方向および奥行き方向へ調整可能に固定されていることを特徴とする。
【０００８】
請求項１に記載の考案によれば、可動棚を構成する複数の分割可動棚を一対の固定金具により収納棚本体に固定することで、一対の固定金具の固定位置を調整して、可動棚の位置も調整して、収納する物品の大きさに合わせて収納空間を自由に調整することができる。
【０００９】
請求項２に記載の考案は、前記収納棚本体の両側面には、可動棚の分割数に応じて形成された複数列の係止孔が、収納棚本体の高さ方向に複数段形成されており、前記一対の固定金具は、前記収納棚本体の両側面に形成された一対の係止孔に係止することで、前記収納棚本体に対して前記分割可動棚を固定することを特徴とする。
【００１０】
請求項２に記載の考案によれば、収納棚本体の両側面の奥行き方向および高さ方向に設けられた複数の係止孔に一対の固定金具を係止させて分割可動棚を固定する構成とすることで、極めて簡単な構成で分割可動棚の位置を調整することができる。
【００１１】
請求項３に記載の考案は、請求項１又は２に記載の複数の収納棚からなり、前記複数の収納棚の少なくとも１つは、前記収納棚本体の幅および奥行きを２つ折りにした布団が収納可能な大きさで形成されていることを特徴とする。
【００１２】
請求項３に記載の考案によれば、複数の収納棚の少なくとも１つの収納棚本体の幅および奥行きを広く形成することで、例えば布団のような幅および奥行きがあり嵩む物品も適切に収納することができる。
【考案の効果】
【００１３】
本考案によれば、可動棚を構成する複数の分割可動棚を一対の固定金具により収納棚本体に固定することで、一対の固定金具の固定位置を調整して、可動棚の位置も調整することができるため、収納する物品の大きさに合わせて収納空間を自由に調整することができる収納棚および収納システムを提供することができる。
【図面の簡単な説明】
【００１４】
【図１】第１実施形態の収納システムを示す概略斜視図である。
【図２】図１のＡ−Ａ線で切断した断面図である。
【図３】図１のＢ−Ｂ線で切断した断面図である。
【図４】図１の収納システムにおいて一対の扉を全閉にした際の概略斜視図である。
【図５】前側係止具を示す概略斜視図である。
【図６】後側載置具を示す概略斜視図である。
【図７】ハンガーパイプ用固定金具を示す概略斜視図である。
【図８】第２実施形態の収納システムのｙ−ｚ断面で切断した断面図である。
【図９】従来例における収納棚の概略斜視図である。
【考案を実施するための形態】
【００１５】
以下、本考案を図面に示す実施形態に基づいて説明する。
（第１実施形態）
本考案の収納システム１に関して、図１乃至７を用いて説明する。
図１は第１実施形態の収納システム１を示す概略斜視図であり、図２は図１のＡ−Ａ線で切断した断面図であり、図３は図１のＢ−Ｂ線で切断した断面図であり、図４は図１の収納システム１において一対の扉１１ｃを全閉にした際の概略斜視図であり、図５は前側係止具１３を示す概略斜視図であり、図６は後側載置具１４を示す概略斜視図であり、図７はハンガーパイプ用固定金具１７を示す概略斜視図である。
図１乃至３においては、第１収納棚２の内部構成をより明確にするために一対の扉１１ｃを省略した。
なお、収納システム１における幅方向をｘ軸、奥行き方向をｙ軸、高さ方向をｚ軸とする。
【００１６】
図１乃至３に示すように、本実施形態の収納システム１は、各種形状の物品（不図示）を収納する第１収納棚２（収納棚）と、第１収納棚２よりも幅が狭く、各種形状の物品を収納する第２収納棚３（収納棚）と、を備える。
【００１７】
図１乃至４に示すように、第１収納棚２は、略直方体形状の収納空間を形成する第１収納棚本体１１（収納棚本体）と、第１収納棚本体１１の両側面１１a、１１aに固定する一対の棚用固定金具１２（固定金具）と、第１収納棚本体１１の両側面１１a、１１aを架設するように延び、第１収納棚本体１１の奥行き方向において複数に分割されるとともに、一対の棚用固定金具１２を介して可動可能に固定される複数の第１分割可動棚１５a（分割可動棚）からなり、高さ方向に複数段設けられた複数の第１可動棚１５（可動棚）と、を備える。また、第１収納棚２は、第１収納棚本体１１の両側面１１a、１１aを架設して固定する第１固定棚１６と、第１収納棚本体１１の両側面１１a、１１aに固定する一対のハンガーパイプ用固定金具１７と、第１収納棚本体１１の両側面１１a、１１aを架設するように延び、一対のハンガーパイプ用固定金具１７を介して可動可能に固定されるとともに、高さ方向に複数段設けられた複数の第１ハンガーパイプ１８と、を備える。
【００１８】
図１乃至４に示すように、第１収納棚本体１１は、前側を開口した略直方体の箱形状をしており、開口部１１ｂには中央から両側へ開く一対の扉１１ｃが形成されている。第１収納棚本体１１は、例えば表面に化粧板を固定したフラッシュパネルなどで形成されている。また、第１収納棚本体１１の幅および奥行きは、布団（不図示）を２つ折りにした状態で収納可能な長さで形成されており、例えば、幅を１０２（ｃｍ）〜１０８（ｃｍ）、奥行きを８４（ｃｍ）〜９０（ｃｍ）で形成されている。
【００１９】
図２に示すように、第１収納棚本体１１の両側面１１a、１１aには、第１可動棚１５の分割数に応じて、奥行き方向に複数の係止孔１１ｄが形成されている。具体的には、奥行き方向において、第１可動棚１５の前側、後側および２カ所の分割位置に応じた計６カ所に係止孔１１ｄが形成されている。この奥行き方向に並ぶ複数の係止孔１１ｄは、底面近傍から天井近傍へ向けて第１収納棚本体１１の高さ方向に所定間隔（例えば３．５ｃｍの間隔）で複数段設けられている。この第１収納棚本体１１の両側面１１a、１１aに形成された複数の係止孔１１ｄは、互いに対向して位置している。
【００２０】
一対の棚用固定金具１２は、第１収納棚本体１１の両側面１１a、１１aに形成された一対の係止孔１１ｄに係止することで、第１収納棚本体１１に対して第１分割可動棚１５aを固定するものである。この棚用固定金具１２は、第１分割可動棚１５aの前側を係止する前側係止具１３と、第１分割可動棚１５aの後側を載置する後側載置具１４とからなる。
【００２１】
図２および５に示すように、前側係止具１３は、係止孔１１ｄに挿入される係止ピン部１３aと、係止ピン部１３aの一端を固定し、第１分割可動棚１５aの前側端部を係止するようにＬ字状に屈曲した係止屈曲部１３ｂと、を有する。係止屈曲部１３ｂにおける第１収納棚本体１１の側面１１aには、フランジ部１３ｃが形成されており、第１収納棚本体１１の側面１１aに密着するように形成されている。係止屈曲部１３ｂは、例えば樹脂材料などからなり、係止ピン部１３aは、例えば鋼鉄などからなる。
【００２２】
図２および６に示すように、後側載置具１４は、係止孔１１ｄに挿入される係止ピン部１４aと、係止ピン部１４aの一端を固定し、第１分割可動棚１５aを載置する円筒状の係止円筒部１４ｂと、を有する。係止円筒部１４ｂにおける第１収納棚本体１１側の端面には、フランジ部１４ｃが形成されており、第１収納棚本体１１の側面１１aに密着するように形成されている。係止円筒部１４ｂは、例えば樹脂材料などからなり、係止ピン部１４aは、例えば鋼鉄などからなる。
【００２３】
図１乃至４に示すように、第１可動棚１５は、第１収納棚本体１１の奥行き方向に手前、真ん中、奥と略３分割された第１分割可動棚１５aからなり、第１分割可動棚１５aの延出方向における両側端部には、一対の前側係止具１３と一対の後側載置具１４が取付けられる。第１分割可動棚１５aは、例えばメラミン樹脂化粧板や木材などで形成されており、下面には第１分割可動棚１５aを補強する第１可動棚補強板１５ｂが固定されている。第１可動棚補強板１５ｂは、例えば扁平な長板であり、第１分割可動棚１５aの下面に幅の広い面を接触させて固定されている。
【００２４】
図１および２に示すように、第１固定棚１６は、例えばメラミン樹脂化粧板や木材などからなり、第１分割可動棚１５aと略同じ幅の矩形状のものである。第１固定棚１６は、収納空間の上部隅部において第１収納棚本体１１に対して一体的に固定されている。第１固定棚１６も、第１可動棚１５と同様に、下面において第１固定棚１６の強度を補強する第１固定棚補強板１６aが固定されている。第１固定棚補強板１６aは、例えば扁平な長板であり、奥行き方向における第１固定棚１６の前後に固定されており、幅の短い面を第１固定棚１６の下面に接触させて固定されている。
【００２５】
第１可動棚１５および第１固定棚１６の各下面に第１可動棚補強板１５ｂおよび第１固定棚補強板１６aを固定することで、長さ１０２（ｃｍ）〜１０８（ｃｍ）とする第１可動棚１５および第１固定棚１６が撓むことを防止することができる。
【００２６】
また、第１可動棚１５および第１固定棚１６を第１可動棚補強板１５ｂおよび第１固定棚補強板１６aで強度を補強することで、第１可動棚１５および第１固定棚１６により重量の重い物品を載置することもできる。
【００２７】
さらに、第１可動棚補強板１５ｂは、幅の広い面を第１分割可動棚１５aの下面に固定し、厚さを薄くすることで、第１可動棚補強板１５aにより下方における収納空間が狭くなることを防止することができる。
【００２８】
一方、第１固定棚補強板１６aは、幅の短い面を第１固定棚１６の下面に固定し、厚さを厚くした状態で、第１収納棚本体１１の両側面１１a、１１aを懸架することで、第１収納棚本体１１の強度を補強することができる。また、第１固定棚１６は、第１収納棚本体１１の上部隅部に設けられているため、第１固定棚１６の裏面に固定された第１固定棚補強板１６aの厚さが厚くなっても、特に物品を収納する際に障害となることもない。
【００２９】
図２および７に示すように、ハンガーパイプ用固定金具１７は、第１ハンガーパイプ１８の端部を受けるＵ字状に延出した延出受部１７aと、延出受部１７aが形成された面の裏面側において、長手方向（図７中のｚ軸方向）に並び、複数の係止孔１１ｄに挿入される一対の係止凸部１７ｂと、を有する。ハンガーパイプ用固定金具１７は、例えば亜鉛合金などの加工性の良い材料からなる。
【００３０】
図１、２および７に示すように、第１ハンガーパイプ１８は、衣類等を吊り下げる複数のハンガー（不図示）を引掛けるものであり、例えば、アルミニウムやステンレス等の軽量かつ強度の高い材料からなる。第１ハンガーパイプ１８は、正面視略楕円形状に形成されており、第１収納棚本体１１の両側面１１a、１１aを架設するように延びて形成されている。第１ハンガーパイプ１８の延出方向における両端部に一対のハンガーパイプ用固定金具１７が取付けられる。
【００３１】
図１乃至４に示すように、第２収納棚３は、第１収納棚２同様に、略直方体形状の収納空間を形成する第２収納棚本体３１（収納棚本体）と、第２収納棚本体３１の両側面１１a、１１aを架設するように延び、第２収納棚本体３１の奥行き方向において複数に分割されるとともに、一対の棚用固定金具１２を介して可動可能に固定される複数の第２分割可動棚３２a（分割可動棚）からなり、高さ方向に複数段設けられた第２可動棚３２（可動棚）と、第２収納棚本体３１の両側面１１a、１１aを架設するように延び、一対のハンガーパイプ用固定金具１７を介して可動可能に固定され、高さ方向に複数段設けられた第２ハンガーパイプ３３と、第２収納棚３の上部奥に設けられ、第２収納棚本体３１の両側面１１a、１１aを架設して固定される第２固定棚３４と、を備える。
【００３２】
第２収納棚本体３１、第２可動棚３２、第２ハンガーパイプ３３および第２固定棚３４の延出方向における長さは、第１収納棚本体１１、第１可動棚１５、第１ハンガーパイプ１８および第１固定棚１６の延出方向における長さよりも短く形成されており、例えば８７（ｃｍ）〜９３（ｃｍ）に形成されている。
【００３３】
なお、第２可動棚３２および第２固定棚３４の長さが８７（ｃｍ）〜９３（ｃｍ）で形成されており撓み難いため、特に第１可動棚補強板１５ｂや第１固定棚補強板１６aのような補強板が固定されていない。
【００３４】
第２収納棚本体３１の奥行き方向における長さは、第１収納棚本体１１の奥行き方向の長さと同じであり、例えば８４（ｃｍ）〜９０（ｃｍ）で形成されている。
【００３５】
第２収納棚本体３１、第２可動棚３２、第２ハンガーパイプ３３および第２固定棚３４におけるその他の構成は、第１収納棚本体１１、第１可動棚１５、第１ハンガーパイプ１８および第１固定棚１６と同じであるため、ここでの説明は省略する。
【００３６】
また、図１に示すように、第２固定棚３４および第２ハンガーパイプ３３の各延出方向における両端部には、一対の棚用固定金具１２と一対のハンガーパンプ用固定金具１７とが取付けられる。この棚用固定金具１２およびハンガーパイプ用固定金具１７は、第１固定棚１６および第１ハンガーパイプ１８の両端部に取付けるものと同じであるため、同一符号として、ここでの説明は省略する。
【００３７】
本実施形態の収納システム１は、第１収納棚２を２つ折りにした布団を収納可能な幅および奥行きとすることで、布団などの幅や奥行きが長い物品であってもその大きさに適した収納とすることができる。
【００３８】
本実施形態の収納システム１は、第１可動棚１５および第２可動棚３２を複数の第１分割可動棚１５aおよび第２分割可動棚３２aにより構成することで、第１収納棚本体１１、第２収納棚本体３１に収納する各物品の大きさに合わせて、第１可動棚１５および第２可動棚３２の奥行きを自由に設定することができる。
【００３９】
例えば、第１収納棚本体１１および第２収納棚本体３１内に収納する物品が小さい場合には、第１可動棚１５および第２可動棚３２を構成する一部の第１分割可動棚１５aおよび第２分割可動棚３２aを取り外して、収納する各物品に適した収納空間を形成することができる。
【００４０】
本実施形態の第１収納棚本体１１および第２収納棚本体３１の奥行きは、一般的なクローゼットの奥行き（６０ｃｍ）よりも長いため、第１分割可動棚１５aおよび第２分割可動棚３２aを奥行き方向においても自由に固定することができる。
【００４１】
すなわち、本実施形態の第１可動棚１５および第２可動棚３２においては、第１分割可動棚１５aおよび第２分割可動棚３２aの位置を、手前、真ん中および奥のいずれかの位置で自由に固定することができる。
【００４２】
例えば、第２収納棚３の奥側に、長尺な物品（例えばスキーの板やゴルフクラブなど）を収納する場合には、奥側における複数段の第２分割可動棚３２aを取り外して、第２収納棚３の奥側の収納空間を高く形成することができる。
【００４３】
また、本実施形態の収納システム１は、第１収納棚２および第２収納棚３において、使用者が最も第１分割可動棚１５aおよび第２分割可動棚３２aを設定しにくい上部奥を、予め固定された第１固定棚１６および第２固定棚３４とすることで、設定しにくい場所における使用者の作業負担を低減することができる。
【００４４】
さらに、本実施形態の収納システム１は、第１収納棚２および第２収納棚３内を、可動可能に固定された第１可動棚１５、第２可動棚３２と、予め固定された第１固定棚１６、第２固定棚３４とにより形成することで、収納する物品の重量に合わせて、物品を適切に収納することができる。
【００４５】
例えば、重量が重い物品は第１固定棚１６および第２固定棚３４に載置して収納し、それよりも軽い物品は第１可動棚１５および第２可動棚３２に載置して収納するような使い方もできる。
【００４６】
次に本実施形態の収納システム１の第１収納棚２に対する第１可動棚１５および第１ハンガーパイプ１８の固定方法について説明する。
【００４７】
なお、第２収納棚３における第２可動棚３２および第２ハンガーパイプ３３の固定方法は、第１収納棚２における第１可動棚１５および第１ハンガーパイプ１８の固定方法と同じであるため、ここでの説明を省略する。
【００４８】
初期条件としては、第１収納棚２内の上部奥には、第１固定棚１６が予め固定されているものとする。
【００４９】
使用者は、手前、真ん中および奥の第１分割可動棚１５aの各位置に合わせて、第１収納棚本体１１の両側面１１a、１１aに一対の前側係止具１３および一対の後側載置具１４を係止する。使用者が第１分割可動棚１５aの各位置において一対の前側係止具１３および一対の後側載置具１４を係止した後に、奥の第１分割可動棚１５aの前側端部を前側係止具１３に係止させて、後側を後側載置具１４に載置する。
【００５０】
同様にして、使用者は、真ん中の第１分割可動棚１５a、および手前の第１分割可動棚１５aを、第１収納棚本体１１の両側面１１a、１１aに係止された各一対の前側係止具１３に係止させて、後側載置具１４に載置する。このようにして、使用者は、第１収納棚２に対して手前、真ん中および奥の第１分割可動棚１５aを固定して第１可動棚１５を第１収納棚２に対して固定する。
【００５１】
次に、使用者は、第１ハンガーパイプ１８を固定する位置に、第１収納棚本体１１の両側面１１a、１１aに一対のハンガーパイプ用固定金具１７を係止させる。使用者は、第１収納棚本体１１の両側面１１a、１１aに係止された一対のハンガーパイプ用固定金具１７に対して第１ハンガーパイプ１８を係止させて、第１ハンガーパイプ１８を第１収納棚本体１１と一体的に固定する。
【００５２】
上記第１可動棚１５の固定作業および第１ハンガーパイプ１８の固定作業を繰り返すことで、第１収納棚２内に複数段の第１可動棚１５および第１ハンガーパイプ１８を使用者の任意の位置に固定して、作業を終了する。
【００５３】
本実施形態の収納システム１は、第１収納棚本体１１および第２収納棚本体３１の側面１１aに対する前側係止具１３、後側載置具１４およびハンガーパイプ用固定金具１７の固定位置を調整することで、第１可動棚１５、第２可動棚３２、第１ハンガーパイプ１８および第２ハンガーパイプ３３の固定位置を簡単に調整することができる。
【００５４】
本実施形態の収納システム１は、第１可動棚１５、第２可動棚３２の奥行きを短くする場合には、第１分割可動棚１５a、第２分割可動棚３２aを取り外して第１可動棚１５、第２可動棚３２の奥行きを調整して、第１可動棚１５、第２可動棚３２に載置する物品の大きさに合わせて簡単に調整することができる。
【００５５】
また、本実施形態の収納システム１は、通常のクローゼットよりも奥行きが広く形成されており、複数の第１分割可動棚１５a、第２分割可動棚３２aの固定位置および複数の第１ハンガーパイプ１８、第２ハンガーパイプ３３の位置を、第１収納棚２および第２収納棚３の奥行き方向および高さ方向に自由に調節して固定することができる。
【００５６】
すなわち、本実施形態の収納システム１は、複数の第１分割可動棚１５a、第２分割可動棚３２a、第１ハンガーパイプ１８および第２ハンガーパイプ３３の位置を、第１収納棚２および第２収納棚３の奥行き方向および高さ方向に自由に調節して固定することで、大きさの異なる複数の物品を適切かつ効率的に収納することができる。
【００５７】
さらに、本実施形態の収納システム１における第１収納棚２および第２収納棚３の各底面には、通常のクローゼットの底部における台輪を設けないことで、第１収納棚２および第２収納棚３内へ簡単に物品を収納することもできる。特に物品が車輪の付いたもの、特にスーツケースなどの場合には、車輪を回転させながら第１収納棚２および第２収納棚３内へ簡単に収納することができる。
【００５８】
（第２実施形態）
第２実施形態の収納システム１’は、棚用固定金具１２’の構成のみが第１実施形態の収納システム１と異なるため、棚用固定金具１２’のみ説明し、他の構成については同じため説明を省略する。
【００５９】
図８は、第２実施形態の収納システム１’のｙ−ｚ断面で切断した断面図である。
なお、座標系は第１実施形態の収納システム１と同じものとする。
【００６０】
図８に示すように、本実施形態における棚用固定金具１２’は、第１収納棚本体１１の両側面１１a、１１aに形成された一対の係止孔１１ｄに係止することで、第１収納棚本体１１に対して第１分割可動棚１５aを固定するものである。棚用固定金具１２’は、第１分割可動棚１５aを挟んで係止する一対の前側係止具１３’からなる。
【００６１】
前側係止具１３’は、第１実施形態の前側係止具１３と同じ構成であるため、説明を省略する。
【００６２】
同様に、第２収納棚本体３１の両側面１１a、１１aに形成された一対の係止孔１１ｄに一対の前側係止具１３’を係止して、第２収納棚本体３１に対して第１分割可動棚３２aを固定する。
【００６３】
本実施形態の収納システム１’は、Ｌ字状に屈曲した係止屈曲部１３ｂを有する一対の前側係止具１３で第１分割可動棚１５a、第２分割可動棚３２aを挟持することで、第１分割可動棚１５a、第２分割可動棚３２aが前後に動くことを確実に防止することができる。
【００６４】
すなわち、本実施形態の収納システム１’は、一対の前側係止具１３で第１分割可動棚１５a、第２分割可動棚３２aを挟持することで、例えば、第１分割可動棚１５aや第２分割可動棚３２aが手前のみや真ん中のみに取付けられた場合においても、第１分割可動棚１５a、第２分割可動棚３２aが前後に動くことを防止することができる。
【００６５】
（他の実施形態）
上記第１実施形態の収納システム１および第２実施形態の収納システム１’として、２つ折りにした布団を収納することができる幅および奥行きとする第１収納棚２と第１収納棚２よりも幅が狭く、第１収納棚２と同じ幅の第２収納棚３とからなるものとして説明したが、特にこれに限られるものではなく、第１収納棚２のみで構成しても良い。
【００６６】
上記第１実施形態の収納システム１および第２実施形態の収納システム１’として、２つ折りにした布団を収納することができる幅および奥行きとする第１収納棚２と第１収納棚２よりも幅が狭い第２収納棚３とからなるものとして説明したが、特にこれに限られるものではなく、複数の収納棚のうち少なくとも１つを第１収納棚２にすれば良い。
【００６７】
上記第１実施形態および第２実施形態において、第１可動棚１５および第１固定棚１６の下面には、それぞれ第１可動棚補強板１５ｂおよび第１固定棚補強板１６aが設けられているものとして説明したが、特にこれに限られるものではなく、第１可動棚１５および第１固定棚１６を剛性の高い材料で形成して十分な強度を確保することができれば、特に第１可動棚補強板１５ｂおよび第１固定棚補強板１６aを設けない構成としても良い。
【００６８】
上記第１実施形態および第２実施形態において、第２可動棚３２および第２固定棚３４の下面に補強板を設けない構成として説明したが、特にこれに限られるものではなく、第２可動棚３２および第２固定棚３４の強度を補強するために補強板を設ける構成としても良い。
【００６９】
上記第１実施形態および第２実施形態において、第１収納棚２および第２収納棚３には、上下方向に複数段の第１可動棚１５、第２可動棚３２、および上下方向に複数段の第１ハンガーパイプ１８、第２ハンガーパイプ３３が固定されているものとして説明したが、特にこれに限られるものではなく、少なくとも第１収納棚２、第２収納棚３に第１可動棚１５、第２可動棚３２がそれぞれ１つ以上設けられる構成であれば良い。
【００７０】
また、上記第１実施形態および第２実施形態において、第１可動棚１５および第２可動棚３２は手前、真ん中、奥の３分割された第１分割可動棚１５aおよび第２分割可動棚３２aよりなるものとして説明したが、特にこれに限られるものではなく、第１可動棚１５および第２可動棚３２を２枚以上に分割された複数の第１分割可動棚１５aおよび第２分割可動棚３２aよりなるものとすれば良い。
【００７１】
さらに、上記第１実施形態において、第１分割可動棚１５aおよび第２分割可動棚３２aは、各前側端部に前側係止具１３を係止させるとともに、各後側を後側載置具１４で載置するものとして説明したが、特にこれに限られるものではなく、第１分割可動棚１５aおよび第２分割可動棚３２aを第１収納棚２および第２収納棚３の両側面１１a、１１aに固定させる構成であれば良い。例えば、第１分割可動棚１５aおよび第２分割可動棚３２aの両延出端部に一対の吸着部材（固定金具）（不図示）を設けて、第１収納棚２および第２収納棚３に対して可動可能に固定する構成としても良い。
【００７２】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００７３】
１、１’…収納システム
２…第１収納棚（収納棚）
１１…第１収納棚本体（収納棚本体）      １１a…側面      １１ｂ…開口部      １１ｃ…扉      １１ｄ…係止孔    １２、１２’…棚用固定金具（固定金具）    １３…前側係止具      １３a…係止ピン部      １３ｂ…係止屈曲部      １３ｃ…フランジ部    １４…後側載置具      １４a…係止ピン部      １４ｂ…係止円筒部      １４ｃ…フランジ部    １５…第１可動棚（可動棚）      １５a…第１分割可動棚（分割可動棚）      １５ｂ…第１分割棚補強板    １６…第１固定棚      １６a…第１固定棚補強板    １７…ハンガーパイプ用固定金具      １７a…延出受部      １７ｂ…係止凸部    １８…第１ハンガーパイプ
３…第２収納棚（収納棚）
３１…第２収納棚本体（収納棚本体）    ３２…第２可動棚（可動棚）      ３２a…第２分割可動棚（分割可動棚）    ３３…第２ハンガーパイプ    ３４…第２固定棚
【図１】
0003198175.tif 000003
【図２】
0003198175.tif 000004
【図３】
0003198175.tif 000005
【図４】
0003198175.tif 000006
【図５】
0003198175.tif 000007
【図６】
0003198175.tif 000008
【図７】
0003198175.tif 000009
【図８】
0003198175.tif 000010
【図９】
0003198175.tif 000011